(57)【要約】【課題】新品であるか否かを確認するためにヒューズが付設された複数の消耗品に対するヒューズが切断されているか否かの判断処理を１系統の回路で行うことができる画像形成装置を提供すること。【解決手段】本発明の画像形成装置１は、直列に接続された複数の抵抗２７及び２８を介して一端が電源２９に接続されるとともに他端がＧＮＤに接続された第１ヒューズ１４と、電源２９からＧＮＤに至る経路を接続又は遮断するために抵抗２７及び２８からなる抵抗群と直列に接続されたトランジスタ３０と、一端が２つの抵抗２７及び２８の接続点ａに接続されるとともに他端がＧＮＤに接続された第２ヒューズ１５と、接続点ｂの電位に基づいて第１ヒューズ１４が切断されているか否かを判断し、接続点ａの電位に基づいて第２ヒューズ１５が切断されているか否かを判断する制御部２と、を備える。【選択図】      図３
2006065137.tif 000002
【特許請求の範囲】
【請求項１】
ヒューズが付設された複数の消耗品が新品であるか否かを確認するために、各消耗品に付設されたヒューズが切断されているか否かを判断する画像形成装置であって、
直列に接続された複数の抵抗を介して一端が電源に接続されるとともに他端がＧＮＤに接続された第１ヒューズと、前記電源から前記ＧＮＤに至る経路を接続又は遮断するために前記複数の抵抗からなる抵抗群と直列に接続されたスイッチ手段と、一端が前記複数の抵抗のうちの隣接する２つの抵抗の接続点に接続されるとともに他端が前記ＧＮＤに接続された第２ヒューズと、前記第１ヒューズと前記抵抗群との接続点の電位に基づいて前記第１ヒューズが切断されているか否かを判断し、前記隣接する２つの抵抗の接続点の電位に基づいて前記第２ヒューズが切断されているか否かを判断する判断手段と、を備えることを特徴とする画像形成装置。
【請求項２】
前記判断手段は、前記第１又は第２ヒューズが切断されていないと判断した場合に、前記スイッチ手段を制御して前記電源から切断されていないヒューズに電流を継続して流すことによりそのヒューズを切断することを特徴とする請求項１記載の画像形成装置。
【請求項３】
前記判断手段は、前記第２ヒューズが切断されていると判断した後に、前記第１ヒューズが切断されているか否かを判断することを特徴とする請求項２記載の画像形成装置。
【発明の詳細な説明】
【技術分野】
【０００１】
本発明は、画像形成装置に関し、詳しくは消耗品に付設されたヒューズが切断（溶断）されているか否かに基づいて消耗品が新品であるか否かを確認するための回路を備えた画像形成装置に関するものである。
【背景技術】
【０００２】
コピー機やファクシミリ装置等が備える画像形成装置では、一様に帯電させた感光体ドラムの表面に光を照射して画像データに対応する静電潜像を形成し、感光体ドラム表面の静電潜像にトナーを付着させてトナー画像を形成し、該トナー画像を用紙に転写することにより画像形成処理が行われる。このような一連の画像形成処理が繰返し行われると、消耗品（例えば、感光体ドラム）には疲労現象が起こるため、疲労が蓄積して寿命に達した消耗品は交換する必要がある。
【０００３】
そのため、画像形成装置では、印刷枚数をカウントするとともにカウントした印刷枚数が寿命に対応する所定枚数に達したか否かを判断し、所定枚数に達した場合に寿命により消耗品を交換する必要があるとしてその旨を報知する処理が行われ、これにより、ユーザは、画質が低下する前に消耗品を交換することができる。
【０００４】
ところで、上記のように消耗品の交換により新品の消耗品が装着された場合には、カウントした印刷枚数をリセットして改めてカウント処理を行う必要がある。そのため、装着された消耗品が新品であるか否かを確認できるように、消耗品にはヒューズ（Fuse）が付設されており、画像形成装置は、そのヒューズが切断されているか否かに基づいて消耗品が新品であるか否かを判断する。このように、消耗品に付設されたヒューズの状態に基づいて消耗品が新品であるか否かを判断する装置としては、例えば、特許文献１に開示されている画像形成装置がある。
【０００５】
特許文献１の画像形成装置は、感光体ドラムとともに帯電器や現像器等がユニット化されたドラムセット（消耗品）が装着された際に、ドラムセットに付設されているヒューズが切断されているか否かに基づいて装着されたドラムセットが新品であるか否かを判断し、ドラムセットが新品である、すなわち、ヒューズが切断されていない場合にはそのヒューズを切断するとともにカウントした印刷枚数をリセットする。そして、以降装着されたドラムセットを使用して画像形成処理を行う毎に印刷枚数をカウントし、カウントした印刷枚数が所定枚数に達した際に、ドラムユニットの寿命であると判断している。
【０００６】
また、特許文献１の画像形成装置は、自装置が具備するモータを回転させるための駆動電源供給回路を、上記のヒューズが切断されているか否かの判断処理とヒューズ切断処理を行うための回路として利用しているため、上記の処理を行うための専用回路を設ける必要がないという利点を有している。
【特許文献１】特開平８−６９２２６号公報
【発明の開示】
【発明が解決しようとする課題】
【０００７】
しかしながら、ドラムセットとして消耗品がユニット化されている特許文献１の画像形成装置とは異なり、感光体ドラムや現像器等の消耗品を個別に交換できる装置では、各消耗品にヒューズが付設されているため、消耗品毎にヒューズが切断されているか否かを判断するための回路が必要となる。言い換えれば、複数系統の回路が必要となる。そのため、回路構成等が複雑になり、装置コストが高くなるという問題があった。
【０００８】
本発明は、かかる課題に鑑みてなされたものであり、新品であるか否かを確認するためにヒューズが付設された複数の消耗品に対してヒューズが切断されているか否かを判断する処理を１系統の回路で行うことができる画像形成装置を提供することを目的とする。
【課題を解決するための手段】
【０００９】
上記目的を達成するために、請求項１記載の画像形成装置は、ヒューズが付設された複数の消耗品が新品であるか否かを確認するために、各消耗品に付設されたヒューズが切断されているか否かを判断する画像形成装置であって、直列に接続された複数の抵抗を介して一端が電源に接続されるとともに他端がＧＮＤに接続された第１ヒューズと、前記電源から前記ＧＮＤに至る経路を接続又は遮断するために前記複数の抵抗からなる抵抗群と直列に接続されたスイッチ手段と、一端が前記複数の抵抗のうちの隣接する２つの抵抗の接続点に接続されるとともに他端が前記ＧＮＤに接続された第２ヒューズと、前記第１ヒューズと前記抵抗群との接続点の電位に基づいて前記第１ヒューズが切断されているか否かを判断し、前記隣接する２つの抵抗の接続点の電位に基づいて前記第２ヒューズが切断されているか否かを判断する判断手段と、を備えることを特徴としている。
【００１０】
請求項２記載の画像形成装置は、請求項１に記載の画像形成装置において、前記判断手段は、前記第１又は第２ヒューズが切断されていないと判断した場合に、前記スイッチ手段を制御して前記電源から切断されていないヒューズに電流を継続して流すことによりそのヒューズを切断することを特徴としている。
【００１１】
請求項３記載の画像形成装置は、請求項２に記載の画像形成装置において、前記判断手段は、前記第２ヒューズが切断されていると判断した後に、前記第１ヒューズが切断されているか否かを判断することを特徴としている。
【発明の効果】
【００１２】
請求項１に記載の画像形成装置によれば、ヒューズが付設された複数の消耗品に対してヒューズが切断されているか否かを判断する処理を１系統の回路で行うことができる。したがって、複数の消耗品それぞれについて上記の処理を行う回路を個別に設ける必要がなく、装置コストが上昇するのを防止することができる。
【００１３】
請求項２に記載の画像形成装置によれば、第１ヒューズと第２ヒューズが切断されているか否かを判断するとともに、切断されていないと判断したヒューズを切断することができる。
【００１４】
請求項３に記載の画像形成装置によれば、第１ヒューズが切断されているか否かを確実に判断することができる。すなわち、第１ヒューズが付設された消耗品と第２ヒューズが付設された消耗品は、寿命が異なるために通常は個別に装着（交換）されるが、万一、これらの消耗品が同時に装着され且つ第２ヒューズが切断されていない場合には、第１ヒューズが切断されているか否かを判断することができない。しかしながら、第２ヒューズが切断されていると判断した後、又は切断されていないと判断した第２ヒューズをヒューズ切断手段により切断して第２ヒューズが切断されていると判断した後、に第１ヒューズが切断されているか否かを判断することにより、第１ヒューズが切断されているか否かを確実に判断することができる。
【発明を実施するための最良の形態】
【００１５】
以下、本発明の実施の形態に係る画像形成装置を、コピー機能を有する画像形成装置（コピー機）に適用した場合について、図面に基づき説明する。図１は、本発明の実施の形態に係る画像形成装置の構成例を示したブロック図である。この画像形成装置１は、図示するように制御部（ＭＰＵ：Microprocessing Unit）２、ＲＯＭ（Read Only Memory）３、ＲＡＭ（Random Access Memory）４、原稿読取部５、コーデック（ＣＯＤＥＣ：Coder and Decoder）６、画像メモリ７、操作部８、表示部９、記録部１０、及びヒューズ切断回路１１を備えたものであって、各部２乃至１０は、バス１２によって通信可能に接続されており、制御部２とヒューズ切断回路１１は、信号線Ｌ（Ｌ１乃至Ｌ３）によって接続されている。
【００１６】
制御部２は、この画像形成装置１を構成する各部を制御する。ＲＯＭ３は、制御部２によりこの画像形成装置１の各部の動作が制御されるための各種プログラムを格納している。画像形成装置１の各部の処理動作は、このＲＯＭ３に格納されている各種プログラムに基づいて制御部２が発行する命令に従って行われる。ＲＡＭ４は、画像形成装置１の処理動作に用いる設定情報や動作情報等の各種データを読み出し及び書込み可能な状態で格納されている。後述するが、このＲＡＭ４には、消耗品の寿命に対応する情報と、消耗品の使用に伴って増加又は減少する消耗品の使用に関する情報と、が消耗品毎に格納されており、制御部２は、これらの情報を比較することにより各消耗品が寿命に達したか否かを判断する。例えば、消耗品の寿命に対応する情報としては設定枚数が、消耗品の使用に関する情報としては記録部１０における画像形成処理で使用された用紙の印刷枚数が格納されている。
【００１７】
原稿読取部５は、原稿の画像データを読取るものであり、図示しないが、ＣＣＤ（Charge Coupled Device）等のイメージセンサにより原稿の画像データを読取るフラットベッドスキャナ（ＦＢＳ：Flat Bed Scanner）、原稿トレイに載置された原稿を搬送する自動原稿搬送装置（ＡＤＦ：Automatic Document Feeder）、読取った原稿の画像データに対してゲイン調整やシェーディング補正などの画像処理を行う画像処理回路等を有して構成されている。
【００１８】
コーデック６は、画像データを符号化（エンコード）・復号（デコード）するものである。ここでは、原稿読取部５から出力された画像データをＭＨ（Modified Huffman）、ＭＲ（Modified Read）、ＭＭＲ（Modified Modified Read）、ＪＢＩＧ（Joint Bi-level Image Group）、ＪＰＥＧ（Joint Photographic Experts Group）方式等により符号化し、符号化されている画像データを記録部１０において用紙に記録するために復号する。画像メモリ７は、原稿読取部５から直接出力された原稿の画像データ、コーデック６において符号化された画像データ等を格納する。
【００１９】
操作部８は、原稿読取部５に原稿の読取開始を指示するためのスタートキー、コピー部数などを入力するためのテンキー、各種設定を行うためのカーソルキーなど、表示部９と連動した各種操作キーを備えている。表示部９は、各種の設定状態や画像形成装置１の動作状態などを文字や図形などで表示する液晶表示装置（ＬＣＤ：Liquid Crystal Display）や、点灯又は消灯で表示するＬＥＤランプなどを備えている。
【００２０】
記録部１０は、画像メモリ７から読み出された画像データの画像を用紙に記録するものである。記録部１０の記録方式は、本実施形態においては電子写真方式であり、この記録部１０には、複数の消耗品が装着されている。したがって、本実施形態においては、複数の消耗品は画像形成処理に使用するものであり、複数の消耗品として２つの消耗品について、一方の消耗品に第１ヒューズ１４が付設され、他方の消耗品に第２ヒューズ１５が付設されている場合について説明する。なお、後述するが、消耗品に付設されている第１ヒューズ１４及び第２ヒューズ１５は、それぞれの消耗品が新品であるか否かを確認するためのものであり、新品である場合には切断（溶断）されておらず、新品ではない場合、すなわち、一度でも画像形成処理に使用された場合には、ヒューズ切断回路１１によって切断されるようになっている。また、記録部１０において使用する複数の消耗品は、個別に交換することができる。
【００２１】
ヒューズ切断回路１１は、ヒューズが付設された複数の消耗品が新品であるか否かを確認するために、各消耗品に付設されたヒューズが切断されているか否かを判断し、切断されていない場合にはそのヒューズを切断する処理を行うための回路である。具体的には、第１ヒューズ１４及び第２ヒューズ１５が切断されているか否かを判断し、切断されていない場合には、そのヒューズを切断するための処理を行う。なお、このヒューズ切断回路１１の処理動作は、制御部２の制御命令に従って行われるものであり、ヒューズ切断回路１１の検出結果に基づいてヒューズが切断されていないと制御部２が判断した場合に、該制御部２の制御命令に基づいてヒューズ切断回路１１がそのヒューズを切断する。
【００２２】
図２は、記録部１０の構成例を概略的に示した断面図である。図示するように、記録部１０は、帯電器１７、感光体ドラム１８、露光器１９、現像器２０、転写器２１、メモリ除去装置（クリーナ）２２、定着器２３等を具備している。
【００２３】
帯電器１７は、静電潜像が形成される前の感光体ドラム１８の表面に電子やイオン等を作用させて一定の電位に均一に帯電させるためのものであり、ブラシローラ式の帯電器やコロナ放電式の帯電器を用いることができる。感光体ドラム１８は、ドラム状に形成されたアルミニウム等の導電性支持体の表面に、例えばＯＰＣ（Organic Photo Conductor）、アモルファスシリコン、セレン等の感光層を形成して構成したものであり、この感光体ドラム１８の表面に静電潜像が形成される。なお、画像形成処理に使用される消耗品の１つであるこの感光体ドラム１８には、前記第１ヒューズ１４が付設されている。
【００２４】
露光器１９は、帯電器１７によって一定の電位に均一に帯電された感光体ドラム１８の表面に光を照射して帯電電荷を除去することにより、感光体ドラム１８の表面に静電潜像を形成するための装置である。このための露光光学系としては、例えばＬＥＤ（Light Emitting Diode）光学系や半導体レーザ光学系等を用いることができる。現像器２０は、感光体ドラム１８の表面に形成された静電潜像にトナーを付着させて可視のトナー画像とするための装置である。なお、画像形成処理に使用されるもう１つの消耗品であるこの現像器２０には、前記第２ヒューズ１５が付設されている。
【００２５】
感光体ドラム１８に付設された第１ヒューズ１４と現像器２０に付設された第２ヒューズ１５は、いずれも定格電流を大きく超える電流、例えば、定格電流の２倍の電流を所定時間流した場合に切断する性質を持っており、感光体ドラム１８や現像器２０が新品の場合には切断されておらず、記録部１０に装着された際に、ヒューズ切断回路１１により切断される。
【００２６】
転写器２１は、感光体ドラム１８の表面に形成されたトナー画像を用紙に転写させるものである。メモリ除去装置２２は、用紙に転写されることなく感光体ドラム１８の表面に残った残留トナーを除去するためのものである。定着器２３は、用紙（記録紙）に転写されたトナー画像を用紙に定着させるものであって、例えば、加熱ローラと加圧ローラとの間を搬送される際に、ヒータを内蔵した加熱ローラの熱により記録紙上のトナー画像を加熱定着させると同時に加熱ローラと該加熱ローラ方向に付勢された加圧ローラにより加圧定着させるものである。
【００２７】
上記のように構成された記録部１０における画像形成処理を簡単に説明すると、まず、感光体ドラム１８、図示しない現像器２０の現像ローラ及び供給ローラ、定着器２３の加熱ローラ及び加圧ローラ等が所定の方向に回転する。それに伴い、帯電器１７によって感光体ドラム１８の表面が一様に帯電される。露光器１９は、帯電した感光体ドラム１８の表面に光を照射して帯電電荷を除去することにより、画像データに対応する静電潜像を形成する。現像器２０は、感光体ドラム１８上に形成された静電潜像にトナーを付着させてトナー画像を形成する。転写器２１は、感光体ドラム１８上に形成されたトナー画像を吸着して用紙カセット２４から搬送路Ｐに沿って搬送されてきた用紙に転写する。
【００２８】
このようにして、画像データに対応するトナー画像が転写された用紙（記録紙）が更に搬送されると、定着器２３は、記録紙上のトナー画像を加熱圧接して該記録紙に定着させる。そして、トナー画像が定着した記録紙は、更に搬送されて排紙トレイ２５へと排出される。
【００２９】
このようにして記録部１０における上記の画像形成処理が行われると、制御部２は、消耗品の使用に関する情報を増加（インクリメント）又は減少（デクリメント）させてＲＡＭ４の消耗品の寿命に対応する情報と比較することにより、その消耗品が寿命に達したか否かを判断する。例えば、消耗品が感光体ドラム１８の場合、制御部２は、消耗品の使用に関する情報として画像形成処理に使用された用紙の枚数（印刷枚数）をカウントし、カウントした印刷枚数をＲＡＭ４に格納する。また、ＲＡＭ４には、感光体ドラム１８（消耗品）の寿命に対応する情報として設定枚数（所定枚数）が感光体ドラム１８が交換された時などに予め格納されており、制御部２は、画像形成処理が行われる毎にカウントした印刷枚数と設定枚数とを比較し、印刷枚数が設定枚数に達したか否かに基づいて感光体ドラム１８が寿命に達したか否かを判断する。そして、印刷枚数が設定枚数に達した場合には、例えば、「ドラムを交換して下さい」等のメッセージを表示部９の液晶表示装置に表示させるなどして、感光体ドラム１８の交換を促すための報知処理を行う。
【００３０】
なお、上記のような消耗品の使用に関する情報を増加又は減少させる処理（カウント処理）や、カウント処理した消耗品の使用に関する情報とその消耗品の寿命に対応する情報とを比較する処理（比較処理）や、比較処理の結果に基づく消耗品が寿命に達したことを報知する処理（報知処理）は、感光体ドラム１８についてのみ行われるわけではなく、ヒューズが付設された複数の消耗品毎に個別に行われる。また、報知処理は上記のものに限定されるものではなく、消耗品の使用に関する情報が消耗品の寿命に対応する情報に近づいた場合（例えば、上記の例では印刷枚数が設定枚数に近づいた場合）に、例えば、「ドラムの寿命が近づいています」等のメッセージを表示部９の液晶表示装置に表示させるなどして、消耗品の寿命が近づいていることを報知することもできる。また、カウントする消耗品の使用に関する情報は、消耗品が寿命に達したか否かを判断することができるものであれば印刷枚数に限定されるものではなく、例えば、感光体ドラム１８の回転数等であってもよい。その場合、ＲＡＭ４には、消耗品の寿命に対応する情報として、設定枚数に代えて設定回転数を格納しておけばよい。
【００３１】
報知処理に対して、ユーザ等によって消耗品（ここでは、感光体ドラム１８又は現像器２０）が交換（装着）された場合には、制御部２は、新たに装着された消耗品が新品であるか否かを確認するために、消耗品に付設されたヒューズが切断されているか否かを判断し、切断されていない場合にはそのヒューズを切断するための処理をヒューズ切断回路１１に行わせる。なお、消耗品が装着されたか否かは、例えば、消耗品の装着の有無を検出するためのセンサ設置し、そのセンサの検出結果から判断可能である。また、このセンサを消耗品毎に設置しておくことにより、消耗品毎に装着の有無を判断することができる。また、本実施形態においては、消耗品を交換する際にユーザ等によって開放されるカバー（不図示）の開閉を検出するための検出センサが所定位置に設置されており、制御部２は、検出センサの検出信号に基づいてカバーが閉じられたと判断した場合に、いずれかの消耗品が装着されたものとして、複数の消耗品にそれぞれ付設されているヒューズが切断されているか否かを判断し、切断されていない場合にはそのヒューズを切断するための処理を行う。
【００３２】
図３は、２つのヒューズ（第１ヒューズ１４及び第２ヒューズ１５）に対してヒューズが切断されているか否かを判断する処理と切断されていないヒューズを切断する処理を行うためのヒューズ切断回路１１の構成例を示した図である。なお、第１ヒューズ１４が付設された消耗品と第２ヒューズ１５が付設された消耗品とが装着された際に、第１ヒューズ及び第２ヒューズと以下に説明するその他の回路素子とが電気的に接続されてこの図に示す構成となる。図示するように、ヒューズ切断回路１１は、第１抵抗２７、第２抵抗２８、電源２９、トランジスタ３０、第１デジタル信号生成部３１及び第２デジタル信号生成部３２を具備している。
【００３３】
第１抵抗２７及び第２抵抗２８は、ここではともに５０Ωの抵抗値を有したものであり、直列に接続されている。記録部１０に感光体ドラム１８が装着されると、感光体ドラム１８に付設されている第１ヒューズ１４は、直列に接続された複数の抵抗（ここでは、第１抵抗２７と第２抵抗２８の２つの抵抗）を介して一端が電源２９に接続されるとともに他端がＧＮＤに接続される。一方、記録部１０に現像器２０が装着されると、現像器２０に付設されている第２ヒューズ１５は、一端が複数の抵抗のうちの隣接する２つの抵抗（第１抵抗２７と第２抵抗２８）の接続点ａに接続されるとともに他端がＧＮＤに接続される。なお、第１ヒューズ１４及び第２ヒューズ１５は、ここではともに１Ωの抵抗値を有しており、これらの第１ヒューズ１４及び第２ヒューズ１５に接続される第１抵抗２７及び第２抵抗２８の抵抗値は、第１ヒューズ１４と第２ヒューズ１５の抵抗値よりも十分大きくなるように設定されている。
【００３４】
電源２９は、第１ヒューズ１４及び第２ヒューズ１５が切断されているか否かを判断するとともに、切断されていない場合にはそのヒューズに電流を継続して流すことによりそのヒューズを切断するための電源（電力）を供給するものである。トランジスタ３０は、電源２９からＧＮＤに至る経路を接続又は遮断するために複数の抵抗２７及び２８からなる抵抗群と直列に接続されたスイッチ手段として機能する。トランジスタ３０は、複数のヒューズ（第１ヒューズ１４及び第２ヒューズ１５）への電源供給を制御するためのものであり、本実施形態においては、ｎｐｎトランジスタを使用している。トランジスタ３０のコレクタは、電源２９に接続されており、エミッタは、第１抵抗２７と直列に接続されている。したがって、本実施形態においては、電源２９から第１ヒューズ１４を介してＧＮＤに至る電線Ｌに、電源２９側からトランジスタ３０、第１抵抗２７、第２抵抗２８、第１ヒューズ１４の順でこれらの各回路素子が直列に接続されている。
【００３５】
トランジスタ３０のベースは、制御部２と信号線Ｌ１によって接続されており、トランジスタ３０は、この信号線Ｌ１を介して制御部２から転送される制御信号に基づいてＯＮ又はＯＦＦするようになっている。また、第２ヒューズ１５は、接続点ａにおいて電線Ｌと直接接続されており、第１ヒューズ１４は、接続点ｂにおいて電線Ｌと直接接続されている。したがって、直列に接続された第２抵抗２８及び第１ヒューズ１４と、第２ヒューズ１５と、が接続点ａとＧＮＤとの間に並列に接続されている。また、接続点ａ及び接続点ｂは、信号線Ｌ２と信号線Ｌ３によって制御部２と接続されており、接続点ａの電位（ＧＮＤとの電位差に相当する電圧値Ｖａと等しい）に応じた信号が信号線Ｌ２上の第１デジタル信号生成部３１を介して制御部２へ転送され、接続点ｂの電位（ＧＮＤとの電位差に相当する電圧値Ｖｂと等しい）に応じた信号が信号線Ｌ３上の第２デジタル信号生成部３２を介して制御部２へ転送される。制御部２は、第１ヒューズ１４と抵抗群との接続点ｂの電位に基づいて第１ヒューズ１４が切断されているか否かを判断し、隣接する２つの抵抗（第１抵抗２７及び第２抵抗２８）の接続点ａの電位に基づいて第２ヒューズ１５が切断されているか否かを判断する判断手段として機能する。また、制御部２は、第１又は第２ヒューズ（ヒューズ１４又は１５）が切断されていないと判断した場合に、トランジスタ３０を制御して電源２９から切断されていないヒューズに電流を継続して流すことによりそのヒューズを切断する。
【００３６】
第１デジタル信号生成部３１及び第２デジタル信号生成部３２は、ともにデジタルトランジスタ３３とプルアップ抵抗３４を具備して構成されており、第１デジタル信号生成部３１は、接続点ａの電位（電圧値Ｖａ）に応じて、「Ｌ信号」又は「Ｈ信号」のいずれかのデジタルデータを生成し、第２デジタル信号生成部３２は、接続点ｂの電圧（電圧値Ｖｂ）に応じて、「Ｌ信号」又は「Ｈ信号」のいずれかのデジタルデータを生成する。
【００３７】
第１デジタル信号生成部３１が接続点ａの電位に応じて生成するデジタルデータは、接続点ａの電位を反転させたデジタルデータとして生成され制御部２へ入力される。具体的には、接続点ａの電位がＧＮＤの電位（０電位）に比べて十分に高い場合（以下、「Ｈ状態」ともいう。）には、第１デジタル信号生成部３１によりＨ状態に対応する接続点ａの電位を反転した「Ｌ信号」が生成され制御部２へと入力される。一方、接続点ａの電位がＧＮＤの電位とぼぼ等しい場合（以下、「Ｌ状態」ともいう。）には、第１デジタル信号生成部３１によりＬ状態に対応する接続点ａの電位を反転した「Ｈ信号」が生成され制御部２へと入力される。これは、接続点ｂの電位に応じて第２デジタル信号生成部３２が生成して制御部２へと入力されるデジタルデータについても同様である。
【００３８】
上記構成を備えた画像形成装置１は、原稿読取部５が読取った原稿の画像データの画像を用紙に記録することができる。また、ヒューズ（第１ヒューズ１４と第２ヒューズ１５）が付設された複数の消耗品（ここでは、感光体ドラム１８と現像器２０の２つの消耗品）が新品であるか否かを確認するために、各消耗品に付設されたヒューズが切断されているか否かを判断し、切断されていない場合にはそのヒューズを切断する処理を行う。
【００３９】
以下、記録部１０の消耗品（ここでは、感光体ドラム１８と現像器２０）の交換等のために記録部１０にアクセスするためのカバー（不図示）が開放された後にそのカバーが閉じられた場合に、消耗品が装着されたものとして画像形成装置１において行われる処理動作について、図３に示すヒューズ切断回路１１の構成図と図４に示すフローチャートに基づいて説明する。なお、図４のフローチャートに基づいて説明する画像形成装置１の処理動作は、ＲＯＭ３に格納されている制御プログラムに基づいて制御部２が発行する命令に従って行われる。
【００４０】
制御部２は、図示しない検出センサの検出結果に基づいて、記録部１０にアクセスするためのカバーが閉じられたか否かを判断する（Ｓ１）。ここで、カバーが閉じられたと判断した場合（Ｓ１：ＹＥＳ）、第１のヒューズチェックを実行する（Ｓ２）。具体的には、信号線Ｌ１を介してトランジスタ３０をＯＮするための制御信号を該トランジスタ３０へ転送し、トランジスタ３０は、電源２９から供給された電源（Ｖｃ）により第１抵抗２７、第２抵抗２８、第１ヒューズ１４、及び第２ヒューズ１５に電流を流す。
【００４１】
次に、制御部２は、信号線Ｌ２を介して転送される接続点ａの電圧値Ｖａの信号（デジタルデータ）に基づいて、第２ヒューズ１５が切断されているか否かを判断する（Ｓ３）。ここで、第２ヒューズ１５が切断されていない（現像器２０が新品である）とすると、接続点ａから第２ヒューズ１５を介してＧＮＤに至る経路の抵抗値は、その経路に第２ヒューズ１５のみが介在しているため１Ωである。一方、接続点ａから第１ヒューズ１４を介してＧＮＤに至る経路の抵抗値は、その経路に第２抵抗２８（５０Ω）と第１ヒューズ１４（１Ω）が介在しているため５１Ωである。したがって、第２ヒューズ１５が切断されていなければ、接続点ａから第２抵抗２８及び第１ヒューズ１４を介してＧＮＤに至る経路にはわずかな電流しか流れず、ほとんどの電流は接続点ａから第２ヒューズ１５を介してＧＮＤに至る経路に流れる。なお、その経路には第２ヒューズ１５が存在するが、この第２ヒューズ１５の抵抗値（１Ω）は、第１抵抗２７の抵抗値（５０Ω）と比べて十分に小さいため、接続点ａの電位（電圧値Ｖａ）とＧＮＤの電位はほぼ等しくなる。そのため、接続点ａはＬ状態であり、Ｌ状態に対応する接続点ａの電位を反転した「Ｈ信号」が信号線Ｌ２を介して制御部２へ転送される。上記のように接続点ａの電位がＧＮＤの電位とほぼ等しいため、接続点ｂの電位（電圧値Ｖｂ）もこの電位とほぼ等しくなる。すなわち、接続点ｂはＬ状態であり、Ｌ状態に対応する接続点ｂの電位を反転した「Ｈ信号」が信号線Ｌ３を介して制御部２へ転送される。なお、この状態では、第１ヒューズ１４が切断されているか否かを判断することはできない。
【００４２】
一方、第２ヒューズ１５が切断されている（現像器２０が新品ではない）とすると、接続点ａから第２ヒューズ１５を介してＧＮＤに至る経路には電流が流れないので、電流は全て接続点ａから第２抵抗２８及び第１ヒューズ１４を介してＧＮＤに至る経路に流れる。したがって、接続点ａの電圧値Ｖａ（電位）は、電源２９の電圧値Ｖｃ（電位）から第１抵抗２７（５０Ω）分だけ電圧降下した電圧値となるが、接続点ａとＧＮＤとの間には第１抵抗２７の抵抗値とほぼ等しい抵抗値を有する第２抵抗２８と第１ヒューズ１４が介在しているため、接続点ａはＨ状態となり、Ｈ状態に対応する接続点ａの電位を反転した「Ｌ信号」が信号線Ｌ２を介して制御部２へ転送される。したがって、制御部２は、Ｓ２における第１のヒューズチェックを実行した際に、接続点ａの電位に対応した信号として、信号線Ｌ２を介して「Ｌ信号」が転送されるか、又は「Ｈ信号」が転送されるかに基づいて、第２ヒューズ１５が切断されているか否かを容易に判断することができる。
【００４３】
Ｓ３において、制御部２は、第２ヒューズ１５が切断されていないと判断した場合（Ｓ３：ＮＯ）、すなわち、Ｓ２の処理の開始直後に信号線Ｌ２を介して「Ｈ信号」が転送された場合、第２ヒューズ１５を切断する（Ｓ４）。具体的には、第２ヒューズ１５が切断されるまで第２ヒューズ１５の定格電流を大きく超える電流をトランジスタ３０から流し続ける。なお、このＳ４の処理が行われる間、第１ヒューズ１４にはほとんど電流が流れず、第１ヒューズ１４が切断されていない場合であっても、第１ヒューズ１４が切断されてしまうことはない。また、第２ヒューズ１５が切断されると、電流は全て接続点ａから第２抵抗２８及び第１ヒューズ１４を介してＧＮＤに至る経路に流れて、上記の通り、信号線Ｌ２を介して「Ｌ信号」が制御部２へ転送されるので、このＳ４の処理は、信号線Ｌ２を介して制御部２へ転送される接続点ａの電位に応じた信号（デジタルデータ）が「Ｈ信号」から「Ｌ信号」に変化するまで継続して行われる。
【００４４】
次に、制御部２は、Ｓ４において第２ヒューズ１５を切断した後、記録部１０に装着された第２ヒューズ１５が付設されている消耗品（ここでは、現像器２０）が新品であると判断して、それまで装着されていた第２ヒューズ１５が付設された消耗品の使用に関する情報を初期化（リセット）する（Ｓ５）。例えば、ＲＡＭ４のトナー残量に関する情報を更新する。
【００４５】
制御部２は、第２ヒューズ１５が既に切断されていたと判断した場合（Ｓ３：ＹＥＳ）、すなわち、Ｓ２の処理の開始直後に信号線Ｌ２を介して「Ｌ信号」が転送された場合、又はＳ４及びＳ５の処理を行った場合、第２のヒューズチェックを実行する（Ｓ６）。具体的には、信号線Ｌ１を介してトランジスタ３０をＯＮするための制御信号を該トランジスタ３０へ転送し、トランジスタ３０は、電源２９から供給された電源（Ｖｃ）により第１抵抗２７、第２抵抗２８、及び第１ヒューズ１４に電流を流す。
【００４６】
次に、制御部２は、信号線Ｌ３を介して転送される接続点ｂの電圧値Ｖｂの信号に基づいて、第１ヒューズ１４が切断されているか否かを判断する（Ｓ７）。なお、このＳ７の処理は、上記のようにＳ３において第２ヒューズ１５が切断されていると判断した後、又はＳ４において第２ヒューズ１５を切断した後に行われる。すなわち、制御部２は、第２ヒューズ１５が切断されていると判断した後に、第１ヒューズ１４が切断されているか否かを判断する。ここで、第１ヒューズ１４が切断されていない（感光体ドラム１８が新品である）とすると、第１ヒューズ１４を介して接続点ｂとＧＮＤとが接続されているため、接続点ｂの電位（電圧値Ｖｂ）とＧＮＤの電位がほぼ等しくなる。したがって、接続点ａは「Ｈ状態」であり接続点ｂは「Ｌ状態」であるため、信号線Ｌ２を介して「Ｌ信号」が制御部２へ転送され、信号線Ｌ３を介して「Ｈ信号」が制御部２へ転送される。
【００４７】
一方、第１ヒューズ１４が切断されている（感光体ドラム１８が新品ではない）とすると、接続点ｂの電位とＧＮＤの電位とが異なることになり、信号線Ｌ２を介して「Ｌ信号」が制御部２へ転送され、信号線Ｌ３を介して「Ｌ信号」が制御部２へ転送される。したがって、制御部２は、Ｓ６における第２のヒューズチェックを実行した際に、信号線Ｌ２を介して「Ｌ信号」が転送されるとともに、信号線Ｌ３を介して「Ｈ信号」が転送されるか、又は「Ｌ信号」が転送されるかに基づいて、第１ヒューズ１４が切断されているか否かを容易に判断することができる。
【００４８】
Ｓ７において、制御部２は、第１ヒューズ１４が切断されていないと判断した場合（Ｓ７：ＮＯ）、すなわち、Ｓ６の処理の開始直後に信号線Ｌ３を介して「Ｈ信号」が転送された場合、第１ヒューズ１４を切断する（Ｓ８）。具体的には、第１ヒューズ１４が切断されるまで第１ヒューズ１４の定格電流を大きく超える電流をトランジスタ３０から流し続ける。なお、第１ヒューズ１４が切断されると、上記の通り、信号線Ｌ３を介して「Ｌ信号」が制御部２へ転送されるので、このＳ８の処理は、信号線Ｌ３を介して制御部２へ転送される接続点ｂの電位を示す信号が「Ｈ信号」から「Ｌ信号」に変化するまで継続して行われる。
【００４９】
次に、制御部２は、Ｓ８において第１ヒューズ１４を切断した後、記録部１０に装着された第１ヒューズ１４が付設されている消耗品（ここでは、感光体ドラム１８）が新品であると判断して、それまで装着されていた第１ヒューズ１４が付設された消耗品の使用に関する情報をＳ５と同様に初期化する（Ｓ９）。例えば、制御部２によってカウントされたＲＡＭ４の印刷枚数をリセットする（０に戻す）。
【００５０】
一方、制御部２は、Ｓ７において第１ヒューズ１４が既に切断されていると判断した場合（Ｓ７：ＹＥＳ）、すなわち、Ｓ６の処理の開始直後に信号線Ｌ３を介して「Ｌ信号」が転送された場合、処理を完了する。
【００５１】
以上説明したように、画像形成装置１によれば、ヒューズが付設された複数の消耗品（ここでは、感光体ドラム１８と現像器２０の２つの消耗品）について新品であるか否かを確認するための処理を１系統の回路（ヒューズ切断回路１１）によって行うことができる。なお、本実施形態においては、記録部１０へアクセスするためのカバーが閉じられたことをトリガとして第２ヒューズ１５と第１ヒューズ１４の両方についてヒューズが切断されているか否かを判断する処理を行う場合について説明したが、変形例として、消耗品毎に装着の有無を検出するために設置されたセンサが消耗品が装着されたことを検出したことをトリガとして、その装着された消耗品に付設されているヒューズが切断されているか否かを判断し、必要な場合に切断処理を行うことも可能である。すなわち、ヒューズが切断されているか否かを判断する処理と必要に応じて行われる切断処理とを消耗品毎に個別に行うことが可能である。
【００５２】
上記の変形例において、例えば、センサにより装着されたことを検出された消耗品のヒューズが第２ヒューズ１５である場合には、図４に示したフローチャートにおけるＳ２からＳ５までの処理のみを行えばよい。一方、センサにより装着されたことを検出された消耗品のヒューズが第１ヒューズ１４である場合には、Ｓ２からＳ９までの処理を行う必要がある。ただし、第１ヒューズ１４が付設された消耗品のみが装着（交換）された場合には、他の消耗品の第２ヒューズ１５は既に切断されているため、Ｓ３の処理後、直ちにＳ６に進んでそれ以降の処理が行われることになる。
【００５３】
また、変形例に関して、消耗品毎に装着の有無を検出するセンサを設けて、それらのセンサの検出結果に基づいていずれの消耗品が装着されたかを判断する場合について説明したが、装着時に開放しなければならないカバーが消耗品毎にある場合には、そのカバー毎に開閉を検出するためのセンサを設け、それらのセンサの検出結果に基づいて消耗品が装着されたか否かを判断するようにしてもよい。
【００５４】
なお、本実施の形態で示した画像形成装置１の構成は、本発明に係る画像形成装置の一態様にすぎず、本発明の要旨を逸脱しない範囲内で適宜設計変更できることは勿論であり、消耗品に付設されたヒューズの状態に基づいて複数の消耗品が新品であるか否かを判断する装置であれば、例えば、ファクシミリ装置、プリンタ、複合機としても実現可能である。
【産業上の利用可能性】
【００５５】
本発明は、消耗品に付設されたヒューズが切断されているか否かに基づいて消耗品が新品であるか否かを確認する画像形成装置を具備するプリンタ、ファクシミリ装置、複合機等に適用可能である。
【図面の簡単な説明】
【００５６】
【図１】本発明の実施形態に係る画像形成装置の構成例を示したブロック図である。
【図２】記録部の構成例を概略的に示した断面図である。
【図３】２つのヒューズに対してヒューズが切断されているか否かを判断する処理と切断されていないヒューズを切断する処理を行うためのヒューズ切断回路の構成例を示した図である。
【図４】記録部にアクセスするために開放されたカバーが閉じられた場合に、画像形成装置において行われる処理動作を示したフローチャートである。
【符号の説明】
【００５７】
１    画像形成装置
２    制御部
１１    ヒューズ切断回路
１４    第１ヒューズ
１５    第２ヒューズ
１８    感光体ドラム（消耗品）
２０    現像器（消耗品）
２７    第１抵抗
２８    第２抵抗
３０    トランジスタ
Ｌ    電線
Ｌ１、Ｌ２、Ｌ３    信号線
【図１】
2006065137.tif 000003
【図２】
2006065137.tif 000004
【図３】
2006065137.tif 000005
【図４】
2006065137.tif 000006